(57)【特許請求の範囲】
【請求項１】
上方が開放された箱状の展示台と、
前記展示台に収納され、商品を載置するための土台と、
前記展示台の後方内側部分と前記土台の後方外側部分との間に挿入された箱状のバックボードと、
を具える商品展示体であって、
前記土台の商品載置面は、１つの平面を構成し、
前記土台の高さは、前記展示台の前方部分（１ｆ）の高さより低く、
前記土台は、両端が内側に折り曲げられた長方形の第１の部材（２ａ）と、角筒状に折り曲げられ、前記第１の部材（２ａ）の中央に接着された長方形の第２の部材（２ｂ）と、からなり、
前記バックボードの表面および裏面には、商品情報が表示されている、
商品展示体。
【請求項２】
前記商品展示体は、ダンボールからなり、
前記展示台の側面後方には、電源コードを通すための開口部が設けられている、
請求項１に記載の商品展示体。
【発明の詳細な説明】
【技術分野】
【０００１】
本発明は、店舗等において商品を陳列・展示するための商品展示体に関するものである。
【背景技術】
【０００２】
従来、店舗等において商品を陳列・展示する場合、台に商品を陳列・展示し、その背後の壁面に、商品情報に関するポスター等を展示していた。あるいは、商品の近傍に、店頭ボードやポスタースタンドを配置していた。
また、特許文献１には、店舗の床面に配置して、商品を展示するための商品展示体として、ダンボール等からなり、組み立て前には、コンパクトに折り畳むことができ、商品載置板を除く全ての構成部材が一体化された商品展示体が提案されている。
【先行技術文献】
【特許文献】
【０００３】
【特許文献１】特開２００７−１２５１７０号公報
【発明の概要】
【発明が解決しようとする課題】
【０００４】
特許文献１の商品展示体では、看板５、正面板２１および左右側板２２にポスター等の印刷物が貼付されている（段落００５４）。それゆえ、商品を変更・交換する際には、ポスター等を貼り直す必要があり、多少の手間がかかるものであった。
本発明は、設置および撤去が容易であり、かつ、商品の変更・交換に即座に対応可能な商品展示体を提供することを目的とする。
【課題を解決するための手段】
【０００５】
本発明の要旨は、以下のとおりである。
上方が開放された箱状の展示台と、
前記展示台に収納され、商品を載置するための土台と、
前記展示台の後方内側部分と前記土台の後方外側部分との間に挿入された箱状のバックボードと、
を具える商品展示体であって、
前記バックボードの表面および裏面には、商品情報が表示されている。
【０００６】
前記商品展示体は、ダンボールからなり、
前記展示台の側面後方には、電源コードを通すための開口部が設けられている、
ことが好ましい。
【図面の簡単な説明】
【０００７】
【図１】本発明の商品展示体を示す図である。
【図２】展示台を示す図である。
【図３】土台を示す図である。
【図４】バックボードを示す図である。
【図５】ガードケースを示す図である。
【図６】本発明の商品展示体の組み立て方を示す図である。
【図７】本発明の商品展示体を３台の扇風機兼サーキュレータの展示のために用いた状態を示す図である。
【発明を実施するための形態】
【０００８】
図１（ａ）は、本発明の商品展示体の構成部材の斜視図であり、図１（ｂ）は、組み立てられた状態の商品展示体の斜視図であり、図１（ｃ）は、組み立てられた状態の商品展示体の断面図である。
商品展示体１０は、上方が開放された箱状の展示台１と、展示台１に収納され、商品Ｘを載置するための土台２と、展示台１の後方内側部分１ｒと土台２の後方外側部分２ｒとの間に挿入された箱状のバックボード３と、ガードケース４と、を具える。なお、ガードケース４は、オプションである。
バックボード３が箱状であるため、強度が上がり型崩れせず、展示台１の後方内側部分１ｒと土台２の後方外側部分２ｒとの間に挿入されるだけで自立する。
バックボード３の表面（一方の面）および裏面（他方の面）には、商品情報や宣伝広告が表示されている。それゆえ、図１（ｂ）に示すように、表面を裏面に反転することにより、２通り（２倍）の情報を示すことができる。商品情報は、バックボード３に直接印刷されていても良いし、ポスター等が貼付されていても良い。
【０００９】
例えば、商品展示体１０を扇風機兼サーキュレータのような２通りの使用法がある商品の展示のために用いる場合、表面に扇風機の説明を記載し、裏面にサーキュレータの説明を記載することが好ましい。扇風機を展示している際にはバックボード３の表面を手前側に表示し、サーキュレータを展示している際にはバックボード３の裏面を手前側に表示することにより、購入者にとって、現在展示されている商品の機能情報等が見やすいという利点が生ずる。さらに、販売者にとって、扇風機をサーキュレータに交換する際に（具体的には、扇風機にサーキュレータ用前面ガードを取り付ける際に）、バックボード３を反転させるだけなので、作業負担が少ない。それゆえ、本発明の商品展示体１０は、商品の変更・交換に即座に対応することができる。
【００１０】
展示台１の側面後方には、開口部１ｋが設けられていることが好ましい。商品展示体１０を電化製品の展示のために用いる場合、この開口部１ｋを介して電源コードを通すことができる。
商品展示体１０の各構成部材（展示台１、土台２、バックボード３、ガードケース４）は、いずれもダンボール（ダンボール紙またはプラスチックダンボール）からなることが好ましい。ダンボール製とすることにより、ネジやテープが不要となり、安価で軽量な商品展示体１０を簡単かつ手軽に組み立てることができ、設置および撤去が容易である。本発明の商品展示体１０を用いることにより、商品を店舗の壁際に設置する必要もなく、店頭ボードやポスタースタンドを配置する必要もなくなる。
【００１１】
商品展示体１０を扇風機兼サーキュレータの展示のために用いる場合、ガードケース４には、サーキュレータ用前面ガードを収納することができる。ガードケース４には、リモコンやカタログなどの販促品を収納することもできる。また、ガードケース４の前面には、商品情報等が表示されている。
【００１２】
以下、図２〜図５には、本発明の商品展示体の構成部材を示す。
図２（ａ）は、展示台１の展開図であり、図２（ｂ）は、展示台１を組み立てた状態の断面図である。ダンボールを所定の形状に打ち抜いた後、破線部にて折り曲げて、図２（ｂ）に示すように、上方が開放された箱状の展示台１に組み立てる。組み立てた状態で斜めになっている展示台１の前方部分１ｆには、商品情報が表示されている。展示台１の側面後方には、開口部１ｋが設けられている。
図３（ａ）（ｂ）は、土台２の展開図であり、図３（ｃ）は、土台２を組み立てた状態の断面図であり、図３（ｄ）は、変形例に係る土台２’である。ダンボールを所定の形状に打ち抜いた後、長方形の部材２ａの両端を内側に折り曲げ、端部を接着する。長方形の部材２ｂを角筒状に折り曲げ、部材２ａの中央に接着する。部材２ａおよび部材２ｂが、土台２を構成する。なお、土台２に強度が必要でない場合は、部材２ｂを設けなくても良いし、図１（ａ）に示したように、２つの部材２ｂを設けても良い。また、図３（ｄ）に示すように１枚のダンボールを折り曲げることにより、土台２’を構成することもできる。
図４は、バックボード３の展開図である。ダンボールを所定の形状に打ち抜いた後、破線部にて折り曲げて、薄い箱状のバックボード３に組み立てる。
図５は、ガードケース４の展開図である。ダンボールを所定の形状に打ち抜いた後、破線部にて折り曲げて、側面の端部を接着し、上方が開放された薄い箱状のガードケース４に組み立てる。
なお、図２〜図５に示した各構成部材の寸法は一例であり、この寸法に限定されるものではない。
【００１３】
図６は、本発明の商品展示体の組み立て方を示す図である。
展示台１の内側に土台２をはめ込む。次に、展示台１の後方内側部分１ｒと土台２の後方外側部分２ｒとの間にバックボード３を挿入する。次に、オプションとしてのガードケース４をバックボード３に取り付ける。最後に、商品を土台２に載置する。
バックボード３の表面および裏面には、商品情報が表示されている。商品展示体１０を扇風機兼サーキュレータの展示のために用いる場合、扇風機を展示している場合は、主に扇風機の説明が記載された表面を表示し、サーキュレータを展示している場合は、主にサーキュレータの説明が記載された裏面を表示し、販売促進効果を高めることができる。
【００１４】
図７は、本発明の商品展示体を３台の扇風機兼サーキュレータの展示のために用いた状態を示す図である。
商品展示体１０を用いて、シリーズ展開されている大きさの異なる扇風機兼サーキュレータＲ３１０Ｃ、Ｒ５１０Ｃ、Ｒ７１０Ｃを展示する場合、各構成部材（展示台１、土台２、バックボード３、ガードケース４）の大きさを、各扇風機兼サーキュレータＲ３１０Ｃ、Ｒ５１０Ｃ、Ｒ７１０Ｃに合わせて設計することもできるが、図７では、バックボード３の幅のみを変更している。このように、高さおよびデザインが同一の商品展示体１０を用いることにより、扇風機兼サーキュレータＲ３１０Ｃ、Ｒ５１０Ｃ、Ｒ７１０Ｃがシリーズ商品であることが明確になり、統一感のある展示となる。また、複数の商品展示体１０を横に並べ、商品のラインナップ全体をコンパクトに展示することができる。
なお、本明細書では、商品展示体１０を扇風機兼サーキュレータの展示のために用いる例を説明してきたが、本発明の商品展示体１０は、他の商品の展示のために使用することもできる。
【符号の説明】
【００１５】
１          展示台
１ｆ        前方部分
１ｋ        開口部
１ｒ        後方内側部分
２、２’    土台
２ａ、２ｂ  部材
２ｒ        後方外側部分
３          バックボード
４          ガードケース
Ｘ          商品
【要約】
【課題】設置および撤去が容易であり、かつ、商品の変更・交換に即座に対応可能な商品展示体を提供する。
【解決手段】上方が開放された箱状の展示台と、展示台に収納され、商品を載置するための土台と、展示台の後方内側部分と土台の後方外側部分との間に挿入された箱状のバックボードと、を具える商品展示体であって、バックボードの表面および裏面には、商品情報が表示されている。商品展示体は、ダンボールからなり、展示台の側面後方には、電源コードを通すための開口部が設けられていることが好ましい。
【選択図】図１【図１】
0006031627.tif 000002
【図２】
0006031627.tif 000003
【図３】
0006031627.tif 000004
【図４】
0006031627.tif 000005
【図５】
0006031627.tif 000006
【図６】
0006031627.tif 000007
【図７】
0006031627.tif 000008